(57)【要約】【課題】作業性と安全性に優れるモータ用吊り治具を提供する。【解決手段】モータ用吊り治具は、水平フレーム３２と、この水平フレーム３２の左右両端より下方へ延びる対の垂直アーム３５とによって構成されている。また、対の垂直アーム３５の下端部には、下端部から先端を対峙させて水平に突出する対のモータ吊持部２９が形成されており、このモータ吊持部２９によってモータを引っ掛けることが出来るようになっている。水平フレーム３２に設けられた対の垂直アーム３５は、水平方向にスライド自在に構成されているので、対のモータ吊持部２９の先端間隔は拡縮自在となっている。一方、対の垂直アーム３５は、モータを上方から押さえるための押さえ手段（押さえボルト３０）を有しており、モータ吊持部２９と押さえボルト３０とが協働することによって、しっかりとモータを保持することが出来るようになっている。【選択図】図１
2005330042.tif 000002
【特許請求の範囲】
【請求項１】
水平フレームと、
前記水平フレームの左右両端より下方へ延びる対の垂直アームと、
前記対の垂直アームの下端部から先端を対峙させて水平に突出する対のモータ吊持部と、
を有するモータ用吊り治具であって、
前記水平フレームに設けられた前記対の垂直アームが水平方向にスライド自在に構成されることにより、前記対のモータ吊持部の先端間隔が拡縮自在に構成されていることを特徴とするモータ用吊り治具。
【請求項２】
請求項１に記載のモータ用吊り治具において、
前記水平フレームは、水平方向にスライド自在な前記対の垂直アームを固定するための固定手段を備えていることを特徴とするモータ用吊り治具。
【請求項３】
請求項１又は２に記載のモータ用吊り治具において、
前記対の垂直アームは、モータを上方から押さえるための押さえ手段をそれぞれ有しており、
前記対のモータ吊持部と前記押さえ手段とが協働してモータを保持することを特徴とするモータ用吊り治具。
【発明の詳細な説明】
【技術分野】
【０００１】
本発明は、モータ用吊り治具に係り、特に、モータをクレーン等で吊り上げる際に使用する吊り治具の改良に関するものである。
【背景技術】
【０００２】
従来、モータを吊り上げる際には、あらかじめモータ本体に設けられている吊りフックを用いて吊り上げ作業を行うことが一般的に実施されていた。この吊り上げ作業について、図３、図４、図５、図６を用いて具体的に説明する。なお、図３〜図６は、エスカレータに使用されている駆動モータを例示したものである。
【０００３】
図３は、エスカレータ駆動モータの取り付け状態を横から見た図を示しており、エスカレータの構造上、駆動モータ１５は斜めに取り付けが成されている。また、この駆動モータ１５は、取付台２０に対して取付ボルト２１を用いて固定されている。
【０００４】
この駆動モータ１５を吊り上げる際には、吊りフック１９にワイヤー９を掛け、取付ボルト２１を外した後に吊り上げ作業を行うことになるのであるが、吊りフック１９が駆動モータ本体の真上に位置するために、駆動モータ１５は重力の関係から、吊り上げ途中で図４に示すように矢印Ｅの方向に移動し、符号２２で示す波線の位置に向かって移動することになる。また、図５は駆動モータ１５を上側から見た図であるが、吊りフック１９が駆動モータ１５の中心部分に１箇所しかないので、駆動モータ１５は、吊り上げ途中で吊りフック１９を支点として矢印Ｆの方向に回転しやすいという性質を持つことになる（つまり、符号２４で示す波線の位置に移動してしまう）。
【０００５】
さらに、図６は駆動モータ１５の吊り上げ状態を正面から見た図であるが、フライホイール１８が片方のみに取り付けられているために、左右の重力バランスの関係上、矢印Ｇの方向に向かって傾いてしまうことになる（つまり、符号２５で示す波線の位置に移動してしまう）。
【０００６】
このようなことが駆動モータ１５吊り上げ時に発生したのでは、図３で示したような機械室入口縁２６やエスカレータ踏み段２７等に駆動モータ１５が衝突してしまうので、機器破損の恐れがあるとともに、安全上も問題がある。また、駆動モータ１５を取り付ける際には、横移動（図４参照）や回転移動（図５参照）、傾き移動（図６参照）等の発生によって駆動モータ１５の姿勢制御が難しいので、取付位置を合わせにくく、吊り上げ下ろし作業に労力と時間を要してしまうことになる。
【０００７】
一方、下記特許文献１には、従来技術に係る一般的な吊り治具が開示されている。この吊り治具について、図７、図８、図９を用いて説明する。
【０００８】
図７、図８、図９に示される吊り治具は、ワーク１に着脱自在に結合してワーク１を吊り上げ下ろしするように構成された装置である。この吊り治具は、水平方向に延出する底部４を有する基台５と、この基台５に軸支する軸支部１３とから構成されている。軸支部１３の構造は、その上端側にワイヤー９と接続するための接続部１０を有するアーム部８を備えるとともに、他端側にはワーク１を押圧するための押圧部７を備えたものとなっている。そして、軸支部１３は、基台５に設置されている軸１１を基点として傾動自在であるので、ワイヤー９を引き上げたときに、軸支部１３が備える押圧部７がワーク１を狭持することができるようになっている。
【０００９】
このような従来の吊り治具を使用する場合には、まず、基台５内にワーク１の一部を係合させた状態でワイヤー９を２つの接続部１０に接続し、ワイヤー９の中間をウインチ等のフック１２に掛ける。このとき、２つの基台５は、ちょうどワーク１を両側から抱え込むようにセットされることになる。このような状態からフック１２が上昇するとアーム部８は内側に引っ張られるので、アーム部８と一体化して構成されている押圧部７はワーク１に強く押圧し、ワーク１をしっかりと固定することが出来るようになる。
【００１０】
【特許文献１】特開平０９−７１３８４号公報
【発明の開示】
【発明が解決しようとする課題】
【００１１】
しかしながら、上記特許文献１に開示されるような吊り治具を、例えば図３〜図６で例示したようなエスカレータに使用されている駆動モータに用いることには問題がある。これは、図１０に示すように、基台５を駆動モータ１５に取り付けようとした場合、駆動モータ１５の両側にある空気取り入れ口１６の奥行き（符号Ａ）が浅く、しかも基台５の底部４の掛かり代（符号Ｂ）が少ないために完全に基台５を固定することが出来ず、吊り上げ下ろしの途中で基台５が駆動モータ１５から外れやすいからである。
【００１２】
また、図１１に示すように、駆動モータ１５とモータバランス用に設置されているフライホイール１８との間隔（符号Ｃ）が、基台５の幅（符号Ｄ）より小さいものも有り、この様な型式を有する駆動モータ１５では、基台５の取り付け自体が不可能である。
【００１３】
本発明は、以上のような問題を解決するために成されたものであって、その目的は、作業性と安全性に優れるモータ用の吊り治具を提供することにある。
【課題を解決するための手段】
【００１４】
本発明に係るモータ用吊り治具は、水平フレームと、前記水平フレームの左右両端より下方へ延びる対の垂直アームと、前記対の垂直アームの下端部から先端を対峙させて水平に突出する対のモータ吊持部と、を有するものであって、前記水平フレームに設けられた前記対の垂直アームが水平方向にスライド自在に構成されることにより、前記対のモータ吊持部の先端間隔が拡縮自在に構成されていることを特徴とするものである。
【００１５】
また、本発明に係るモータ用吊り治具において、前記水平フレームは、水平方向にスライド自在な前記対の垂直アームを固定するための固定手段を備えるようにすることが好適である。
【００１６】
さらに、本発明に係るモータ用吊り治具において、前記対の垂直アームは、モータを上方から押さえるための押さえ手段をそれぞれ有しており、前記対のモータ吊持部と前記押さえ手段とが協働してモータを保持するようにすることが好適である。
【発明の効果】
【００１７】
本発明によれば、作業性と安全性に優れるモータ用吊り治具を提供することができる。
【発明を実施するための最良の形態】
【００１８】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。なお、背景技術で示した部材と同一又は類似の部材については、同一符号を付して説明を省略する。
【００１９】
図１は、本実施形態に係るモータ用吊り治具の概略構成を示す図である。図１において示されているように、本実施形態に係るモータ用吊り治具は、水平フレーム３２と、この水平フレーム３２の左右両端より下方へ延びる対の垂直アーム３５とによって構成されている。また、対の垂直アーム３５の下端部には、下端部から先端を対峙させて水平に突出する対のモータ吊持部２９が形成されており、このモータ吊持部２９によってモータを引っ掛けることが出来るようになっている。
【００２０】
ここで、本実施形態に係るモータ用吊り治具の特徴的な点として、水平フレーム３２に設けられた対の垂直アーム３５が、水平方向にスライド自在に構成されていることが挙げられる。したがって、対のモータ吊持部２９の先端間隔は、対の垂直アーム３５が自由にスライドできることによって拡縮自在となっている。
【００２１】
また、水平フレーム３２には、水平方向にスライド自在な対の垂直アーム３５を固定するための固定手段が備わっており、図１ではこの固定手段として４本の固定ボルト３１を用いた場合を例示している。スライド移動されて所望の位置に停止した対の垂直アーム３５は、この４本の固定ボルト３１によって固定することが出来るので、吊り上げ対象となるモータをしっかりと挟み込んで固定することが可能となるのである。
【００２２】
一方、対の垂直アーム３５には、モータを上方から押さえるための押さえ手段が設置されている。図１では、この押さえ手段について押さえボルト３０を採用した場合の構成が示されており、この対の垂直アーム３５が備える押さえ手段である押さえボルト３０と、４本の固定ボルト３１によって固定された対の垂直アーム３５が備える対のモータ吊持部２９とが協働することによって、しっかりとモータを保持することが出来るようになっている。
【００２３】
なお、図１では、固定手段や押さえ手段として、ボルト３１，３０を採用した場合を例示して説明した。しかしながら、これら固定手段や押さえ手段については、部材を固定したり押さえたりできるものであればどの様な構成を採用しても良く、例えば、バネ力を用いたストッパや電磁力を利用したもの等であっても良い。
【００２４】
続いて、図２を用いて本実施形態に係るモータ用吊り治具の使用方法を説明する。図２に示されるように、本実施形態に係るモータ用吊り治具を駆動モータ１５の真上の位置に移動し、駆動モータ１５に取り付ける。この取り付け方法については、まず、モータ吊持部２９を駆動モータ１５の空気取り入れ口１６に挿入した上で押さえボルト３０を締め込み、駆動モータ１５を対のモータ吊持部２９と２つの押さえボルト３０とで挟み込むようにして固定する。このとき、対のモータ吊持部２９については、空気取り入れ口１６の最奥まで挿入しておくことが好適である。この様にすることによって、しっかりと駆動モータ１５が固定でき、安定した吊り上げ下ろしを行うことが可能となるからである。
【００２５】
次に、水平フレーム３２を駆動モータ１５の中心位置となるように移動し、４本の固定ボルト３１を締め付けることによってモータ用吊り治具の取り付け作業が完了することになる。
【００２６】
このようにして取り付けられたモータ用吊り治具では、ワイヤー９を専用吊りフック２８に掛けることによって吊り上げ体勢が整うことになる。なお、図１および図２に示す例では、専用吊りフック２８を３箇所設けた場合を例示しているが、この専用吊りフック２８については、吊り上げ対象となるモータの形状や重量、用途などに応じて使い分けることが可能である。
【００２７】
以上のような本実施形態に係るモータ用吊り治具を採用することによって、従来の吊り治具の場合（図１０参照）のように、駆動モータ１５の両側にある空気取り入れ口１６の奥行き（符号Ａ）が浅く、しかも基台５の底部４の掛かり代（符号Ｂ）が少ないために完全に基台５を固定することが出来ないために、吊り上げ下ろしの途中で基台５が駆動モータ１５から外れやすくなってしまうといった不具合が解消できる。
【００２８】
また、図１１に示したように、駆動モータ１５とモータバランス用に設置されているフライホイール１８との間隔（符号Ｃ）が基台５の幅（符号Ｄ）より小さいために基台５の取り付けが出来ないといった従来の不具合についても、図１に示すモータ吊持部２９の幅（符号Ｉ）が駆動モータ１５とモータバランス用に設置されているフライホイール１８との間隔（符号Ｃ）よりも小さく設定できるので、従来の不具合が解消できる。
【００２９】
そして、本実施形態に係るモータ用吊り治具によれば、駆動モータ１５のどの位置にも取り付けが可能であるので、駆動モータ１５全体の重心に対して垂直に吊り上げ下ろしが出来ることになる。したがって、従来技術のような横移動（図４参照）や回転移動（図５参照）、傾き移動（図６参照）等の発生が無いので、本実施形態に係るモータ用吊り治具によれば駆動モータ１５の姿勢制御が簡単であり、吊り上げ下ろしの途中で駆動モータ１５が周辺の機器にぶつかるという事故を防ぐことができ、安全性も向上される。また、駆動モータ１５を取り付ける際の位置設定が容易となるので、従来技術と比較して労力と時間を節約することが可能となる。
【００３０】
以上、本発明の好適な実施形態について説明したが、本発明の技術的範囲は上記実施形態に記載の範囲には限定されない。上記実施形態には、多様な変更又は改良を加えることが可能である。例えば、本実施形態では、エスカレータに使用されている駆動モータを吊り上げ下ろしする場合について説明したが、あらゆる用途や型式のモータに対して本発明に係るモータ用吊り治具を適用することが可能である。その様な変更又は改良を加えた形態も本発明の技術的範囲に含まれ得ることが、特許請求の範囲の記載から明らかである。
【図面の簡単な説明】
【００３１】
【図１】本実施形態に係るモータ用吊り治具の概略構成を示す図である。
【図２】本実施形態に係るモータ用吊り治具の使用方法を説明するための図である。
【図３】エスカレータ駆動モータの取り付け状態を横から見た図である。
【図４】従来のモータにおける吊り上げ下ろし作業の様子を示す図である。
【図５】従来のモータにおける吊り上げ下ろし作業の様子を示す図である。
【図６】従来のモータにおける吊り上げ下ろし作業の様子を示す図である。
【図７】従来技術に係る一般的な吊り治具を示す概略図である。
【図８】従来技術に係る一般的な吊り治具の動作を説明するための図である。
【図９】従来技術に係る一般的な吊り治具の動作を説明するための図である。
【図１０】従来技術に係る一般的な吊り治具をモータの吊り上げ下ろし作業に適用した場合を例示する図である。
【図１１】従来技術に係る一般的な吊り治具をモータの吊り上げ下ろし作業に適用した場合を例示する図である。
【符号の説明】
【００３２】
１  ワーク、４  底部、５  基台、７  押圧部、８  アーム部、９  ワイヤー、１０  接続部、１１  軸、１２  フック、１３  軸支部、１５  駆動モータ、１６  空気取り入れ口、１８  フライホイール、１９  吊りフック、２０  取付台、２１  取付ボルト、２６  機械室入口縁、２７  エスカレータ踏み段、２８  専用吊りフック、２９  モータ吊持部、３０  押さえボルト、３１  固定ボルト、３２  水平フレーム、３５  垂直アーム。
【図１】
2005330042.tif 000003
【図２】
2005330042.tif 000004
【図３】
2005330042.tif 000005
【図４】
2005330042.tif 000006
【図５】
2005330042.tif 000007
【図６】
2005330042.tif 000008
【図７】
2005330042.tif 000009
【図８】
2005330042.tif 000010
【図９】
2005330042.tif 000011
【図１０】
2005330042.tif 000012
【図１１】
2005330042.tif 000013